(57)【要約】【課題】隣の光源ユニットと隙間を空けて配置された場合に、上記の隙間を確保しつつ上記の隙間が目立つことを抑制できる光源ユニットを提供する。【解決手段】光源ユニット３は、基板４１と、カバー９０と、を有する。基板４１は、一の主面４１ａを有し、一の主面４１ａに少なくとも１つの発光部４０が設けられている。カバー９０は、透光性を有し、基板４１の一方の主面４１ａを覆う。カバー９０は、一方向に延びている。発光部４０の光軸方向は、基板４１に垂直である。カバー９０は、第１端面９１と、第２端面９２と、を有する。第１端面９１は、一方向の両側の端面のうちの１つの端面である。第２端面９２は、一方向の両側の端面のうち、第１端面９１とは別の端面である。第１端面９１及び第２端面９２は、互いに嵌り合う形状を有する。第１端面９１及び第２端面９２のうちの少なくとも一方は、発光部４０が放射した光を透過する。【選択図】  図２
2020035684.tif 000002
【特許請求の範囲】
【請求項１】
一の主面を有し、前記一の主面に少なくとも１つの発光部が設けられた基板と、
透光性を有し、前記基板の前記一の主面を覆うカバーと、を有し、
前記カバーは、一方向に延びており、
前記カバーは、
前記一方向の両側の端面のうちの１つの第１端面と、
前記一方向の両側の端面のうち、前記第１端面とは別の第２端面と、を有し、
前記第１端面及び前記第２端面は、互いに嵌り合う形状を有し、
前記第１端面及び前記第２端面のうちの少なくとも一方は、前記発光部が放射した光を透過する、
光源ユニット。
【請求項２】
前記発光部の光軸方向は、前記基板に垂直であり、
前記第１端面のうち、前記光軸方向の後側の第１後端部は、前記一方向において、前記光軸方向の前側の第１前端部よりも、前記第２端面の側に配置され、
前記第２端面のうち、前記光軸方向の前側の第２前端部は、前記一方向において、前記光軸方向の後側の第２後端部よりも、前記第１端面の側に配置された、
請求項１に記載の光源ユニット。
【請求項３】
前記第１端面は、前記第１前端部から前記第１後端部に向かって前記第２端面の側に傾いており、
前記第２端面は、前記第２後端部から前記第２前端部に向かって前記第１端面の側に傾いている、
請求項２に記載の光源ユニット。
【請求項４】
前記第１端面は、前記第１前端部から前記第１後端部に向かうに連れて前記第２端面の側に階段状にずれており、
前記第２端面は、前記第２後端部から前記第２前端部に向かうに連れて前記第１端面の側に階段状にずれており、
請求項２に記載の光源ユニット。
【請求項５】
前記発光部は、前記基板に複数設けられ、
前記複数の発光部の配置のうち、前記一方向の前記第２端面の側の最端に配置された発光部を、最端発光部とし、
前記カバーの前記一方向において、前記第２端面の前記第２前端部は、前記最端発光部と同じ位置に配置され、または、前記最端発光部と前記第２後端部との間に配置されている、
請求項１〜４の何れか１項に記載の光源ユニット。
【請求項６】
前記第１端面及び前記第２端面は、光を透過する透光面である、
請求項１〜５の何れか１項に記載の光源ユニット。
【請求項７】
前記第１端面及び前記第２端面のうち、一方の端面は、光を透過する透光面であり、他方の端面は、光を反射する反射面である、
請求項１〜６の何れか１項に記載の光源ユニット。
【請求項８】
請求項１〜７の何れか１項に記載の光源ユニットと、
前記光源ユニットを支持する器具本体と、を備える、
照明器具。
【発明の詳細な説明】
【技術分野】
【０００１】
本開示は、光源ユニット及び照明器具に関し、より詳細には、基板の一の主面を覆うカバーを有する光源ユニット、及び当該光源ユニットを備える照明器具に関する。
【背景技術】
【０００２】
特許文献１に記載の照明器具は、光源ユニットと、器具本体とを備えている。器具本体は、光源ユニットを支持する。照明器具は、同じ構成の別の照明器具と一列に並べられて配置される。その際、隣合う光源ユニットは、光源ユニットのカバーの熱膨張及び湿度変化による膨張を考慮して、互いに隙間を空けて配置される。
【先行技術文献】
【特許文献】
【０００３】
【特許文献１】特開２０１６−５１６５１号公報
【発明の概要】
【発明が解決しようとする課題】
【０００４】
特許文献１に記載の照明器具では、隣合う光源ユニットは互いに隙間を空けて配置される。このため、上記の隙間で光源ユニットの照明光の輝度が低下し、上記の隙間が目立つという欠点があった。
【０００５】
本開示の目的は、隣の光源ユニットと隙間を空けて配置された場合に、上記の隙間を確保しつつ上記の隙間が目立つことを抑制できる光源ユニット、及び当該光源ユニットを備える照明器具を提供することである。
【課題を解決するための手段】
【０００６】
本開示の一態様に係る光源ユニットは、基板と、カバーと、を有する。前記基板は、一の主面を有し、前記一の主面に少なくとも１つの発光部が設けられている。前記カバーは、透光性を有し、前記基板の前記一の主面を覆う。前記カバーは、一方向に延びている。前記発光部の光軸方向は、前記基板に垂直である。前記カバーは、第１端面と、第２端面と、を有する。前記第１端面は、前記一方向の両側の端面のうちの１つの端面である。前記第２端面は、前記一方向の両側の端面のうち、前記第１端面とは別の端面である。前記第１端面及び前記第２端面は、互いに嵌り合う形状を有する。前記第１端面及び前記第２端面のうちの少なくとも一方は、前記発光部が放射した光を透過する。
【０００７】
本開示の一態様に係る照明器具は、上記の光源ユニットと、器具本体と、を備える。前記器具本体は、前記光源ユニットを支持する。
【発明の効果】
【０００８】
本開示の一態様に係る光源ユニット及び照明器具は、隣の光源ユニットと隙間を空けて配置された場合に、上記の隙間を確保しつつ上記の隙間が目立つことを抑制できるという効果がある。
【図面の簡単な説明】
【０００９】
【図１】図１は、実施形態１に係る照明器具を示す分解斜視図である。
【図２】図２は、同上の照明器具が備える光源ユニットを示す分解斜視図である。
【図３】図３は、同上の照明器具を下側から見た下面図である。
【図４】図４Ａは、図３の照明器具の左端部の一部を拡大した部分拡大図である。図４Ｂは、図３の照明器具の右端部の一部を拡大した部分拡大図である。
【図５】図５Ａは、同上の照明器具を２つ並べて配置させた場合において２つの照明器具を下側から見た側面図である。図５Ｂは、図５Ａの２つの照明器具の連結部分を拡大した部分拡大図である。図５Ｃは、図５Ｂにおいてカバーが膨張した場合を示す部分拡大図である。
【図６】図６は、実施形態１の変形例１に係る照明器具を２つ並べて配置した場合の２つの照明器具の連結部分を拡大した部分拡大図である。
【図７】図７は、実施形態１の変形例２に係る照明器具を２つ並べて配置した場合の２つの照明器具の連結部分を拡大した部分拡大図である。
【発明を実施するための形態】
【００１０】
以下の実施形態は、本発明の様々な実施形態の一つに過ぎない。以下の実施形態は、本発明の目的を達成できれば、設計等に応じて種々の変更が可能である。また、以下の実施形態において説明する図１〜図７は、模式的な図であり、図１〜図７中の各構成要素の大きさや厚さそれぞれの比が、必ずしも実際の寸法比を反映しているとは限らない。
【００１１】
（実施形態１）
（１．１）全体構成
以下、本実施形態に係る照明器具１について詳しく説明する。照明器具１は、図１及び図３に示すように、光源ユニット３と、光源ユニット３を保持する器具本体２とを有している。
【００１２】
以下の説明においては、照明器具１が、一例として、建物等の造営材である壁に設置される場合を想定している。ただし、照明器具１が設置される造営材は壁に限定されず、天井や床等の壁以外の造営材に照明器具１が設置される場合もある。
【００１３】
（１．２）光源ユニット３
光源ユニット３は、図２に示すように、２つのＬＥＤモジュール４と、点灯装置５と、筐体６と、カバー９０とを備えている。ＬＥＤモジュール４は、照明光を放射するための部品（複数のＬＥＤ（light emitting diode）４０及び基板４１など）をまとめた部分である。点灯装置５は、ＬＥＤモジュール４に電力（直流電力）を供給する装置である。筐体６は、点灯装置５が収容される部材である。カバー９０は、ＬＥＤモジュール４の部品面（ＬＥＤ４０が設けられる主面）を覆う部材であり、筐体６と組み付けられる。
【００１４】
（１．２．１）ＬＥＤモジュール４
２つのＬＥＤモジュール４は、左右方向に沿って並んで配置される。以下では、２つのＬＥＤモジュール４のうち左側のＬＥＤモジュール４を、第１ＬＥＤモジュール４Ａと呼び、右側のＬＥＤモジュール４を、第２ＬＥＤモジュール４Ｂと呼ぶこともある。
【００１５】
第１ＬＥＤモジュール４Ａは、複数のＬＥＤ４０（第１ＬＥＤ４０Ａ、発光部）と、基板４１（第１基板４１Ａ）と、一対のレセプタクルコネクタ４２と、一対の電線４３と、を有している。基板４１は、前面４１ａ（一の主面）を有し、複数の第１ＬＥＤ４０Ａが前面４１ａに設けられている。一対のレセプタクルコネクタ４２は、第１基板４１Ａの前面４１ａに設けられている。一対のレセプタクルコネクタ４２は、電線４３を介してプラグコネクタ４５と電気的に接続されている。プラグコネクタ４５は、点灯装置５の出力コネクタ５００と電気的に接続される。
【００１６】
第２ＬＥＤモジュール４Ｂは、複数のＬＥＤ４０（第２ＬＥＤ４０Ｂ、発光部）と、基板４１（第２基板４１Ｂ）と、を有している。基板４１は、前面４１ａ（一の主面）を有し、複数の第２ＬＥＤ４０Ｂが前面４１ａに設けられている。第１ＬＥＤモジュール４Ａ及び第２ＬＥＤモジュール４Ｂは、接続部９によって互いに電気的に接続されている。
【００１７】
各基板４１は、例えば、ガラス布基材エポキシ樹脂基板等の樹脂製の絶縁基板により、左右方向を長手方向とする長尺の矩形平板状に形成されている。第１基板４１Ａ及び第２基板４１Ｂは、互いに隣り合うように配置されている。ここでは、一例として、２つの基板４１は、長手方向の寸法が異なっていて、第１基板４１Ａの長手方向の寸法が、第２基板４１Ｂの長手方向の寸法よりも長い。ただし、２つの基板４１の長手方向の寸法関係は、特に限定されず、互いに同じでもよいし、長短の寸法関係が逆であってもよい。
【００１８】
各ＬＥＤ４０は、例えば、照明用白色ＬＥＤである。複数の第１ＬＥＤ４０Ａは、第１基板４１Ａの短手方向（上下方向）の中央において、第１基板４１Ａの長手方向（左右方向）に沿って等間隔に１列に並ぶように実装されている（図２参照）。また、複数の第２ＬＥＤ４０Ｂは、第２基板４１Ｂの短手方向（上下方向）の中央において、第２基板４１Ｂの長手方向（左右方向）に沿って等間隔に１列に並ぶように実装されている（図２参照）。各ＬＥＤ４０の光軸Ｌ１は、基板４１に垂直である。光軸Ｌ１の方向は、照明器具１の前後方向に一致している。
【００１９】
なお、本実施形態では、光源ユニット３内に２つの基板４１（４１Ａ，４１Ｂ）が備えられるが、光源ユニット３内に備えられる基板４１の数は、１つでもよいし、３つ以上でもよい。また、本実施形態では、１つの基板４１には複数のＬＥＤ４０が設けられるが、１つの基板４１に設けられるＬＥＤ４０の数は、少なくとも１つであればよい。
【００２０】
（１．２．２）点灯装置５
点灯装置５は、外部の電源（例えば、商用の電力系統）から供給される交流電力を直流電力に変換する電力変換回路と、外部から受け取る制御信号に応じて電力変換回路を制御する制御回路とを有している。電力変換回路は、例えば、力率改善回路と、降圧チョッパ回路（バックコンバータ）とを有している。制御回路は、例えば、バックコンバータをＰＷＭ（Pulse Width Modulation）制御することによって出力コネクタ５００から出力する直流電流を調整して２つのＬＥＤモジュール４を調光するように構成されている。ただし、このような電力変換回路及び制御回路の回路構成は従来周知であるから詳細な回路構成の図示及び説明は省略する。
【００２１】
点灯装置５は、回路基板５０を備えている（図２参照）。回路基板５０は、例えば、矩形平板状に形成されている。回路基板５０には電力変換回路及び制御回路を構成する種々の回路部品５８が実装されている。
【００２２】
回路基板５０の前面における右端に第１端子台５１が実装されている。第１端子台５１の各極に、２本の第１電源線５２のうちの対応する第１電源線５２の１本がそれぞれ電気的に接続されている。なお、２本の第１電源線５２の各導体が第１電源コネクタ５３の２つのコンタクトのうちの対応するコンタクトと電気的に接続されている。
【００２３】
回路基板５０の前面における左端に第２端子台５４が実装されている。第２端子台５４の各極に、２本の第２電源線５５のうちの対応する第２電源線５５の１本がそれぞれ電気的に接続されている。さらに、２本の第２電源線５５の各導体が第２電源コネクタ５６の２つのコンタクトのうちの対応するコンタクトと電気的に接続されている。なお、第１端子台５１の各極と第２端子台５４の各極とは、回路基板５０の導体によって電気的に接続されている。詳細な説明は省略するが、照明器具１は、別の照明器具１と左右方向に沿って並ぶように接続されるように、第１電源コネクタ５３であるプラグコネクタは、別の照明器具１の第２電源コネクタ５６であるレセプタクルコネクタと接続可能に構成されている。
【００２４】
さらに、回路基板５０の前面における左端には、１つの出力コネクタ５００と、２つの制御用コネクタ５０１、５０２とが実装されている。出力コネクタ５００は、回路基板５０の導体を介してバックコンバータの出力端子と電気的に接続されている。そして、出力コネクタ５００は、第１ＬＥＤモジュール４Ａの２本の電線４３の先端に設けられているプラグコネクタ４５と接続される。
【００２５】
また、２つの制御用コネクタ５０１、５０２の各々に、制御信号を伝送するための信号ケーブル５０３、５０４が電気的に接続される。一方の制御用コネクタ５０１と電気的に接続される信号ケーブル５０３は、回路基板５０の左側に引き出されている。他方の制御用コネクタ５０２と電気的に接続される信号ケーブル５０４は、回路基板５０の右側に引き出されている。一方の信号ケーブル５０３の先端には第１信号コネクタ５０５が電気的に接続されている。他方の信号ケーブル５０４の先端には第２信号コネクタ５０６が電気的に接続されている。また、第１信号コネクタ５０５であるレセプタクルコネクタは、別の照明器具１の第２信号コネクタ５０６であるプラグコネクタと接続可能に構成されている。
【００２６】
（１．２．３）筐体６
筐体６は、図２に示すように、長尺の底壁６０と、底壁６０の長手方向に沿った上端及び下端から前方へ突出する一対の側壁６１とを有する角樋状に形成されている。筐体６は、ポリカーボネート樹脂等の合成樹脂の押出成形体である。各側壁６１の外側面には内側に凹んだ凹所６１０が形成されている。また、各側壁６１には、回路基板５０が筐体６の左端から挿入されて係合する係合溝６３、及び、カバー９０が筐体６の左端から挿入されて係合する係合突起６４が設けられている。
【００２７】
（１．２．４）カバー９０
カバー９０は、図１に示すように、一方向（左右方向）に延びており、長手方向に直交する断面形状が例えばＤ字形の箱状である。カバー９０の前面が上下方向に沿って前方に凸となるように円弧状に湾曲している。カバー９０は、後面に、筐体６が組み付けられる開口を有する。
【００２８】
カバー９０は、第１端面９１と、第２端面９２とを有する。第１端面９１は、カバー９０の長手方向（左右方向）の両側の端面のうちの１つの端面（例えば左側の端面）である。第２端面９２は、カバー９０の長手方向（左右方向）の両側の端面のうち第１端面９１とは別の端面（例えば右側の端面）である。
【００２９】
第１端面９１及び第２端面９２は、互いに嵌り合う形状を有している。より詳細には、第１端面９１は、図４Ａに示すように、カバー９０の前後方向に対して、例えば前方斜め左側に傾斜した面（例えば平面）である。第１端面９１は、第１前端部９１ａと、第１後端部９１ｂとを有する。第１前端部９１ａは、第１端面９１におけるカバー９０の前後方向の前側の端部である。第１後端部９１ｂは、第１端面９１におけるカバー９０の前後方向の後側の端部である。カバー９０の前後方向は、光軸Ｌ１方向と一致している。第１後端部９１ｂは、カバー９０の長手方向（左右方向）において、第１前端部９１ａよりも右側（すなわち第２端面９２側）に配置されている。よって、第１端面９１は、第１前端部９１ａから第１後端部９１ｂに向かって第２端面９２側に傾いている。
【００３０】
第２端面９２は、第１端面９１と平行な面（例えば平面）である（図３参照）。すなわち、第２端面９２も、図４Ｂに示すように、カバー９０の前後方向に対して、例えば前方斜め左側に傾斜した面（例えば平面）である。第２端面９２は、第２前端部９２ａと、第２後端部９２ｂとを有する。第２前端部９２ａは、第２端面９２におけるカバー９０の前後方向の前側の端部である。第２後端部９２ｂは、第２端面９２におけるカバー９０の前後方向の後側の端部である。カバー９０の前後方向は、光軸Ｌ１方向と一致している。第２前端部９２ａは、カバー９０の長手方向（左右方向）において、第２後端部９２ｂよりも左側（すなわち第１端面９１側）に配置されている。よって、第２端面９２は、第２後端部９２ｂから第２前端部９２ａに向かって第１端面９１側に傾いている。
【００３１】
第２端面９２の傾斜角α２は、図４Ｂに示すように、カバー９０の長手方向において、第２端面９２の第２前端部９２ａが最右端のＬＥＤ４０の位置４０ａと第２後端部９２ｂとの間に配置されるように、設定される。なお、位置４０ａは、例えば、最右端のＬＥＤ４０の右端である。
【００３２】
なお、図４Ｂでは、第２前端部９２ａは、カバー９０の長手方向において、最右端のＬＥＤ４０の位置４０ａと第２後端部９２ｂとの間に配置されているが、第２前端部９２ａの配置は、このように限定されない。例えば、第２前端部９２ａは、カバー９０の長手方向において、カバー９０内の複数のＬＥＤ４０の配置のうちの最右端（最端）のＬＥＤ４０（最端発光部）の位置４０ａと同じ位置に配置されてもよい。
【００３３】
なお、傾斜角α２は、第２端面９２とカバー９０の後面との間の角度である。最右端のＬＥＤ４０の位置４０ａとは、例えば、最右端のＬＥＤ４０の右端の位置である。なお、第１端面９１は、第２端面９２に平行であるため、第１端面９１の傾斜角α１も第２端面９２の傾斜角α２と同じ傾斜角に設定される。傾斜角α１は、第１端面９１とカバー９０の後面との間の角度である。
【００３４】
このように傾斜角α１，α２が設定されることで、光源ユニット３の前側からの正面視で、第１端面９１の左右方向の幅、及び第２端面９２の左右方向の幅が大きくなり過ぎることを抑制できる。
【００３５】
また、カバー９０は、光を透過すると共に光を拡散するように構成されている。カバー９０は、光を透過する透光性を有する部材（例えばポリカーボネート樹脂など）で形成されている。透光性を有する部材としては、透明な部材でもよいし、半透明な部材でもよし、乳白色の部材でもよい。カバー９０の内部にＬＥＤモジュール４が収容される。この収容状態では、ＬＥＤモジュール４は、前面（部品面）を前側に向けて配置されている。すなわち、各ＬＥＤ４０の光軸Ｌ１方向は、光源ユニット３の前後方向に一致している。本実施形では、ＬＥＤモジュール４が放射した光（照明光）は、カバー９０を透過してカバー９０の前側、上側及び下側に放射されると共に、第１端面９１及び第２端面９２を透過して左側及び右側にも放射される。すなわち、第１端面９１及び前記第２端面９２のうちの両方が、ＬＥＤ４０からの光を透過する。なお、本実施形態では、第１端面９１及び前記第２端面９２のうちの両方がＬＥＤ４０からの光を透過するが、第１端面９１及び前記第２端面９２のうちの少なくとも一方が、ＬＥＤ４０からの光を透過すればよい。
【００３６】
カバー９０は、カバー本体７と、２つのエンド部材８とを有する。カバー本体７は、カバー９０の前面、上面及び下面を構成する部分である。２つのエンド部材８は、カバー９０における長手方向（左右方向）の両端部を構成する部品である。２つのエンド部材８を区別するときは、左側のエンド部材８をエンド部材８Ｌと記載し、右側のエンド部材８をエンド部材８Ｒと記載する。
【００３７】
カバー本体７は、図２に示すように、前方から見た形状が長方形状である本体部７０と、本体部７０の一対の長辺の各々から後方へ突出する一対の脚部７１とを有している。本体部７０は、一方向（左右方向）に長尺で、長手方向に直交する断面形状がＣ字形の樋状である。本体部７０は、前方に凸となるように弧状に湾曲している。本体部７０は、後面及び左右両側の端面７３Ｌ，７３Ｒが開口している。本体部７０の左右両側の端面７３Ｌ，７３Ｒは、本体部７０の長手方向（左右後方）に直交した平面である。本体部７０と一対の脚部７１とは、例えば、ポリカーボネート樹脂等の合成樹脂の押出成形によって一体に形成されている。本体部７０は、カバー内の２つのＬＥＤモジュール４から放射される光を透過及び拡散させるように構成されている。
【００３８】
カバー本体７は、第１基板４１Ａ及び第２基板４１Ｂを、一対の脚部７１で挟み込むようにして保持する。つまり、第１基板４１Ａ及び第２基板４１Ｂは、カバー本体７内に収容される。この収容状態では、第１基板４１Ａの前面（部品面）及び第２基板４１Ｂ（部品面）は、カバー本体７の前側を向く。第１基板４１Ａの第１ＬＥＤ４１Ａの光軸Ｌ１及び第２基板４１Ｂの第２ＬＥＤ４１Ｂの光軸Ｌ１は、カバー本体７の前後方向に一致している。
【００３９】
カバー本体７は、第１基板４１Ａ及び第２基板４１Ｂを保持した状態で、筐体６の側壁６１に引っ掛けられるようにして取り付けられる。つまり、詳細な説明は省略するが、カバー本体７の一対の脚部７１は、その内側面において、第１基板４１Ａ及び第２基板４１Ｂを引っ掛けるための引掛構造を有し、更に、その外側面において、筐体６の係合突起６４と係合するための係合構造を有している。
【００４０】
２つのエンド部材８は、互いにほぼ同じ構造を有している（図２参照）。各エンド部材８は、略半円板状に形成された第１エンド部８１、略四角形の平板状に形成された第２エンド部８２、及び、第１エンド部８１と第２エンド部８２とを連結する連結部８３を有している。第１エンド部８１は、本体部７０の長手方向（左右方向）の端面７３Ｌ，７３Ｒの開口を塞ぐ部分である。第２エンド部８２は、筐体６の長手方向の端面の開口を塞ぐ部材である。各エンド部材８は、更に、底板部８４、及び一対の側板部８５を有している。エンド部材８は、光を透過すると共に光を拡散するように構成されている、エンド部材８は、例えばポリブチレンテレフタレート樹脂、又はポリカーボネート樹脂等の合成樹脂の成形体で構成されている。以下、左側のエンド部材８Ｌの第１エンド部８１Ｌとも記載し、右側のエンド部材８Ｒの第１エンド部８１Ｒとも記載する。
【００４１】
第１エンド部８１Ｌは、図４Ａに示すように、左側面８１ａと右側面８１ｂとを有する。右側面８１ｂは、カバー９０の左右方向に直交している。すなわち、右側面８１ｂは、本体部７０の左端面７３Ｌと平行である。左側面８１ａは、カバー９０の第１端面９１を構成する。左側面８１ａは、前後方向に対して前方斜め左側に傾斜している。第１エンド部８１Ｌの左右方向の厚さＤ１は、第１エンド部８１Ｌの後端部８１ｃから前端部８１ｄに向かうに連れて左側面８１ａが右側面８１ｂから徐々に遠ざかるように、大きくなっている。
【００４２】
第１エンド部８１Ｒは、図４Ｂに示すように、左側面８１ｅと右側面８１ｆとを有する。左側面８１ｅは、カバー９０の左右方向に直交している。すなわち、左側面８１ｅは、本体部７０の右端面７３Ｒと平行である。右側面８１ｆは、カバー９０の第２端面９２を構成する。右側面８１ｆは、前後方向に対して前方斜め左側に傾斜している。第１エンド部８１Ｒの左右方向の厚さＤ２は、第１エンド部８１Ｒの後端部８１ｇから前端部８１ｈに向かうに連れて右側面８１ｆが左側面８１ｅに徐々に近づくように、小さくなっている。
【００４３】
このように、カバー９０の傾斜した第１端面９１は、本体部７０の左側の端面７３Ｌに、左側面８１ａが傾斜した第１エンド部８１Ｌが取り付けられることで、構成される。同様に、カバー９０の傾斜した第２端面９２は、本体部７０の右側の端面７３Ｒに、右側面８１ｆが傾斜した第１エンド部８１Ｒが取り付けられることで、構成される。
【００４４】
左側のエンド部材８Ｌの第２エンド部８２には、第２電源コネクタ５６が取り付けられている。また、左側のエンド部材８の第２エンド部８２には、信号ケーブル５０３が取り付けられている。信号ケーブル５０３は、第２エンド部８２を貫通した状態で第２エンド部８２に取り付けられている。右側のエンド部材８の第２エンド部８２には、第１電源線５２及び信号ケーブル５０４が取り付けられている。第１電源線５２及び信号ケーブル５０４は、第２エンド部８２を貫通した状態で第２エンド部８２に取り付けられている。ただし、第１電源線５２及び信号ケーブル５０４には張力止めが取り付けられている。
【００４５】
底板部８４は、矩形平板状に形成されている。底板部８４は、第２エンド部８２の側面から連結部８３と反対の側に突出している（図２参照）。一対の側板部８５は、底板部８４の前面における短手方向（上下方向）の両端から前方へ突出している。各側板部８５は、矩形平板状に形成されている。
【００４６】
点灯装置５と、ＬＥＤ基板４１を収容したカバー本体７とを筐体６に収納した状態で、２つのエンド部材８を筐体６の左右両端からそれぞれに挿入してねじ止め等をする。これにより、２つのエンド部材８が、カバー本体７の両側の端面及び筐体６の両側の端面に取り付けられる。
【００４７】
（１．３）器具本体２
器具本体２は、図１に示すように、本体部２０と、一対の支持部材２１とを備えている。
【００４８】
本体部２０は、亜鉛鋼板等の金属板によって角樋状に形成されている。本体部２０は、長尺の矩形平板状に形成された底部２００と、底部２００の長手方向（左右方向）に沿った両端（上端及び下端）からそれぞれ前方へ突出する一対の側部２０１とを有している。底部２００は、一対の被かん合部２０２（図示例では右側の被かん合部２０２のみ図示）と、一対の連結部２０５と、一対の取付孔２０６と、を有している。各側部２０１は、一対の開口部２０３と紐係止部２０８とを有している。
【００４９】
支持部材２１は、筐体６の側壁６１に設けられた被係合部６２（図１参照）と係合する一対の係合部２１０と、各係合部２１０を側壁６１の外側面と接離する方向（上下方向）に変位させる変位部２１１とを有している。また、支持部材２１は、係合部２１０が被係合部６２と係合する向きに筐体６を押圧するばね部２１２と、本体部２０の被かん合部２０２とかん合するかん合部２１３とを有している。さらに、支持部材２１は、矩形平板状の板部２１４を有している。なお、支持部材２１が有する一対の係合部２１０、一対の変位部２１１、ばね部２１２、かん合部２１３並びに板部２１４は、ステンレス鋼板等の金属板が打ち抜き加工及び曲げ加工されることによって一体に形成されている。
【００５０】
支持部材２１は、以下のような手順で本体部２０に固定される。支持部材２１のかん合部２１３が、本体部２０の被かん合部２０２に前方から挿入される。そして、支持部材２１が本体部２０の底部２００と平行に移動されることで、底部２００に対する移動が規制されて、支持部材２１が本体部２０に固定される。なお、本体部２０に支持部材２１が固定された状態においては、支持部材２１の係合部２１０及び変位部２１１が、本体部２０の側部２０１の開口部２０３と上下方向において対向している。
【００５１】
（１．４）照明器具１の施工手順
次に、照明器具１の施工手順を説明する。
【００５２】
施工作業を行う作業者は、始めに造営材（例えば、壁）に器具本体２を取り付ける。作業者は、本体部２０の一対の取付孔２０６に木ねじ等の取付ねじを挿通して本体部２０を壁にねじ止めする。
【００５３】
続いて、作業者は、光源ユニット３の筐体６を前方から本体部２０に挿入する。作業者は、筐体６の後端における上下両端部分で支持部材２１の係合部２１０を押すことにより、支持部材２１の一対の変位部２１１を外向きに撓ませる。
【００５４】
作業者は、光源ユニット３の筐体６の後面に支持部材２１のばね部２１２が接触した後もばね部２１２のばね力（押圧力）に抗して本体部２０に筐体６を挿入する。そして、支持部材２１の係合部２１０が側壁６１の凹所６１０に到達すると、撓んでいた変位部２１１が元の状態に戻る。そして、作業者が光源ユニット３から手を離すと、ばね部２１２に押圧された筐体６が前方へ移動し、支持部材２１の係合部２１０が筐体６の被係合部６２と係合する。このようにして、作業者は、筐体６を一対の支持部材２１に支持させて光源ユニット３を本体部２０に取り付ける。
【００５５】
上述のように作業者は、ドライバ等の工具を使わずに器具本体２に光源ユニット３を取り付けることができる。そのため、照明器具１は、設置に要する作業時間の短縮を図ることができる。
【００５６】
次に、図５Ａ〜図５Ｃを参照して、同じ構成の複数（例えば２つ）の照明器具１（１Ａ，１Ｂ）を一列に並べて配置する場合について説明する。以下、照明器具１Ａの光源ユニット３及び器具本体２を、光源ユニット３Ａ及び器具本体２Ａとも記載し、照明器具１Ｂの光源ユニット３及び器具本体２を、光源ユニット３Ｂ及び器具本体２Ｂとも記載する。
【００５７】
２つの照明器具１Ａ，１Ｂは、図５Ａ及び図５Ｂに示すように、長手方向（左右方向）に沿って一列に並べられて配置される。この配置状態では、隣合う照明器具１Ａ，１Ｂにおいて、隣合う器具本体２Ａ，２Ｂの隣合う端面２ａ，２ｂは、互いに接触する。また、隣合う光源ユニット３Ａ，３Ｂのカバー９０の隣合う端面９１，９２は、互いに隙間Ｄ３を空けて配置される。すなわち、隣合う端面９１，９２は、互いに隙間Ｄ３を空けて嵌り合っている。隙間Ｄ３は、光源ユニット３の長手方向（左右方向）の間隔である。隙間Ｄ３は、光源ユニット３のカバー９０の膨張を吸収するための隙間である。カバー９０の上記の膨張は、光源ユニット３の発熱による膨張であったり、カバー９０の周囲の湿度の変化による膨張である。隙間Ｄ３は、光源ユニット３の長さが例えば２００ｍｍの場合で例えば２〜３ｍｍの大きさである。隙間Ｄ３は、カバー９０が膨張しても、隣合う端面９１，９２が互いに接触しない大きさに設定される（図５Ｃ参照）。この結果、カバー９０が膨張しても、隣合う端面９１，９２に過大な応力が生じることを低減できる。
【００５８】
また、上記の配置状態では、図５Ｂに示すように、光源ユニット３の前側からの正面視で、隣合う２つの光源ユニット３Ａ，３Ｂのうち、一方の光源ユニット３Ａの第１端面９１は、他方の光源ユニット３Ｂの第２端面９２の前側に隙間Ｄ３を空けて重なる。すなわち、一方の光源ユニット３Ａの第１端面９１の第１前端部９１ａは、他方の光源ユニット３Ｂの第２端面９２の第２後端部９２ｂよりも他方の光源ユニット３Ｂ側に配置される。これにより、光源ユニット３の前側からの正面視で、２つの光源ユニット３Ａ，３Ｂの間の隙間Ｄ３の奥側が視認できなくなる。この結果、２つの光源ユニット３Ａ，３Ｂの間の隙間Ｄ３を確保しつつ目立つことを抑制できる。
【００５９】
また、光源ユニット３Ａ，３Ｂの両側の端面（第１端面９１及び第２端面９２）は、光を透過する透光面であるため、光源ユニット３内のＬＥＤモジュール４からの光が第１端面９１及び第２端面９２からも射出される。これにより、隣合う光源ユニット３Ａ、３Ｂの間の隙間Ｄ３で、照明光の輝度の低下を低減できる。すなわち、隣合う光源ユニット３Ａ，３Ｂ間で連続した均一な照明光を実現できる。また、隣合う光源ユニット３Ａ，３Ｂの間の隙間Ｄ３が目立つことを更に抑制できる。
【００６０】
また、光源ユニット３の第１端面９１及び第２端面９２は、傾斜面（例えば傾斜平面）であるため、隣合う光源ユニット３Ａ，３Ｂの隙間Ｄ３に塵などが溜まることを抑制できる。
【００６１】
（２）変形例
以下に、いくつかの変形例について列記する。以下では上述した実施形態を「基本例」と呼ぶ。以下に説明する変形例の各々は、上述した基本例や他の変形例と適宜組み合わせて適用可能である。
【００６２】
（２．１）変形例１
基本例では、カバー９０の第１端面９１及び第２端面９２は両方とも透光面であるが、第１端面９１及び第２端面９２のうち、一方の端面（例えば第１端面９１）が透光面で、他方の端面（例えば第２端面９２）は、光を透過しない非透光面であってもよい。この場合、第２端面９２は、光を反射する反射面であってもよい。
【００６３】
なお、非透光面は、例えば、エンド部材８を透光性を有さない部材で形成することで構成してもよい。また、反射面は、光を反射する機能を有する部材（反射テープや反射板）を第２端面９２に設けることで構成してもよいし、又は、金属蒸着で光を反射する膜（反射膜）を第２端面９２に形成することで構成してもよい。
【００６４】
第１端面９１を透光面とし、第２端面９２を反射面とした場合、図６に示すように、同じ構成の２つの照明器具１Ａ，１Ｂが一列に並べられたとき、隣合う光源ユニット３Ａ，３Ｂのうち、一方の光源ユニット３Ａの第１端面９１から照明光Ｃ１が射出される。このため、２つの光源ユニット３Ａ，３Ｂの間の隙間Ｄ３での照明光Ｃ３の輝度の低下を低減できる。この結果、２つの光源ユニット３の間の隙間Ｄ３を目立つことを抑制できる。また、第１端面９１から照明光Ｃ１は、第２端面９２で反射される。これにより、第２端面９２が照らされる。このため、隙間Ｄ３での照明光Ｃ３の低下を更に低減できる。
【００６５】
（２．２）変形例２
基本例では、カバー９０の第１端面９１及び第２端面９２はともに傾斜面（例えば傾斜した平面）であるが、第１端面９１及び第２端面９２はともに、階段状の面であってもよい（図７参照）。すなわち、第１端面９１は、第１前端部９１ａから第１後端部９１ｂに向かうに連れて例えば右側に階段状にずれもよい。第２端面９２は、第２後端部９２ｂから第２前端部９２ａに向かうに連れて例えば左側に階段状にずれてもよい。図７の例では、第１端面９１及び第２端面９２は、２段の階段状であるが、３段以上の複数の階段状であってもよい。
【００６６】
この場合、図７に示すように、同じ構成の２つの照明器具１Ａ，１Ｂが一列に並べられたとき、隣合う光源ユニット３Ａ，３Ｂの隣合う端面（第１端面９１及び第２端面９２）は、互いに隙間Ｄ３を空けて嵌り合う。よって、光源ユニット３の正面（前側）からずれた方向から隙間Ｄ３を見ても、隙間Ｄ３の奥側を視認することはできない。この結果、隣合う光源ユニット３Ａ，３Ｂの間の隙間Ｄ３を目立つことを更に抑制できる。
【００６７】
（２．３）その他の変形例
基本例では、エンド部材８は、第１エンド部８１、第２エンド部８２及び連結部８３を有し、それらエンド部８１，８２及び連結部８３が一体に形成されているが、エンド部材８の構成は、このように限定されない。例えば、エンド部材８は、第１エンド部８１、第２エンド部８２及び連結部８３のうち、第１エンド部８１だけで構成されもよい。
【００６８】
（３）利点
以上説明したように、第１の態様に係る光源ユニット（３）は、基板（４１）と、カバー（９０）と、を有する。基板（４１）は、一の主面（４１ａ）を有し、一の主面（４１ａ）に少なくとも１つの発光部（４０）が設けられている。カバー（９０）は、透光性を有し、基板（４１）の一の主面を覆う。カバー（９０）は、一方向に延びている。カバー（９０）は、第１端面（９１）と、第２端面（９２）と、を有する。第１端面（９１）は、一方向の両側の端面のうちの１つの端面である。第２端面（９２）は、一方向の両側の端面のうち、第１端面（９１）とは別の端面である。第１端面（９１）及び第２端面（９２）は、互いに嵌り合う形状を有する。第１端面（９１）及び第２端面（９２）のうちの少なくとも一方は、発光部（４０）が放射した光を透過する。
【００６９】
この構成によれば、同じ構成の２つの光源ユニット（３）を互いに隙間（Ｄ３）を空けて一列に並べたとき、一方の光源ユニット（３）の第１端面（９１）の第１前端部（９１ａ）を、他方の光源ユニット（３）の第２端面（９２）の第２後端部（９２ｂ）よりも他方の光源ユニット（３）側に配置できる。これにより、光源ユニット（３）の正面側から見て、隣合う光源ユニット（３）の間の隙間（Ｄ３）の奥側を視認できなくできる。この結果、隣合う光源ユニット（３）の間の隙間（Ｄ３）を確保しつつ目立つことを抑制できる。
【００７０】
第２の態様に係る光源ユニット（３）では、第１の態様において、発光部（４０）の光軸（Ｌ１）方向は、基板（４１）に垂直である。第１端面（９１）のうち、光軸（Ｌ１）方向の後側の第１後端部（９１ｂ）は、一方向において、光軸（Ｌ１）方向の前側の第１前端部（９１ａ）よりも、第２端面（９２）の側に配置される。第２端面（９２）のうち、光軸（Ｌ１）方向の前側の第２前端部（９２ａ）は、一方向において、光軸（Ｌ１）方向の後側の第２後端部（９２ｂ）よりも、第１端面（９１）の側に配置される。
【００７１】
この構成によれば、簡単な構造で、光源ユニット（３）の正面側から見て、隣合う光源ユニット（３）の間の隙間（Ｄ３）の奥側を見えなくできる。
【００７２】
第３の態様に係る光源ユニット（３）では、第２の態様において、第１端面（９１）は、第１前端部（９１ａ）から第１後端部（９１ｂ）に向かって第２端面（９２）の側に傾いている。第２端面（９２）は、第２後端部（９２ｂ）から第２前端部（９２ａ）に向かって第１端面（９１）の側に傾いている。
【００７３】
この構成によれば、第１端面（９１）及び第２端面（９２）はともに傾斜した面であるため、第１端面（９１）と第２端面（９２）との間に塵が溜まることを抑制できる。
【００７４】
第４の態様に係る光源ユニット（３）では、第２の態様において、第１端面（９１）は、第１前端部（９１ａ）から第１後端部（９１ｂ）に向かうに連れて第２端面（９２）の側に階段状にずれている。第２端面（９２）は、第２後端部（９２ｂ）から第２前端部（９２ａ）に向かうに連れて第１端面（９１）の側に階段状にずれている。
【００７５】
この構成によれば、光源ユニット（３）の長手方向の両側のうちの一方にずれた方向から見ても、２つの光源ユニット（３）の間の隙間（Ｄ３）の奥側を見えなくできる。この結果、２つの光源ユニット（３）の間の隙間（Ｄ３）を目立つことを更に抑制できる。
【００７６】
第５の態様に係る光源ユニット（３）では、第１〜４の態様の何れか１つの態様において、発光部（４０）は、基板（４１）に複数設けられている。複数の発光部（４０）の配置のうち、一方向の第２端面（９２）の側の最端に配置された発光部（４０）を、最端発光部（４０）とする。カバー（９０）の一方向において、第２端面（９２）の第２前端部（９２ａ）は、最端発光部（４０）と同じ位置に配置され、または、最端発光部（４０）と第２後端部（９２ｂ）との間に配置されている。
【００７７】
この構成によれば、第２端面（９２）のうち、第２前端部（９２ａ）が第２後端部（９２ｂ）よりも、カバー（９０）の一方向の第１端面（９１）の側に寄り過ぎることを抑制できる。
【００７８】
第６の態様に係る光源ユニット（３）では、第１〜５の態様の何れか１つの態様において、第１端面（９１）及び第２端面（９２）は、光を透過する透光面である。
【００７９】
この構成によれば、同じ構成の２つの光源ユニット（３）を隙間（Ｄ３）を空けて一列に並べたとき、隣合う２つの光源ユニット（３）において、隣合う２つの端面（第１端面（９１）及び第２端面（９２））から、発光部（４０）からの光を射出できる。これにより、隣合う２つの光源ユニット（３）の間の隙間（Ｄ３）での照明光の輝度の低下を低減できる。この結果、隣合う２つの光源ユニット（３）の間の隙間（Ｄ３）を目立つことを更に抑制できる。
【００８０】
第７の態様に係る光源ユニット（３）では、第１〜６の態様の何れか１つの態様において、第１端面（９１）及び第２端面（９２）のうち、一方の端面は、光を透過する透光面であり、他方の端面は、光を反射する反射面である。
【００８１】
この構成によれば、同じ構成の２つの光源ユニット（３）を隙間（Ｄ３）を空けて一列に並べたとき、隣合う２つの光源ユニット（３）において、隣合う２つの端面（９１，９２）のうち、一方の端面（透光面）から発光部（４０）からの光を射出できる。また、他方の端面（反射面）で、透光面からの光を反射させることができる。これにより、２つの光源ユニット（３）の間の隙間（Ｄ３）での照明光の輝度の低下を低減できる。この結果、２つの光源ユニット（３）の間の隙間（Ｄ３）を目立つことを更に抑制できる。
【００８２】
第８の態様に係る照明器具（１）では、第１〜７の態様の何れか１つの態様の光源ユニット（３）と、器具本体（２）と、を備える。器具本体（２）は、光源ユニット（３）を支持する。
【００８３】
この構成によれば、上記の光源ユニット（３）で説明した効果を有する照明器具（１）を提供できる。
【符号の説明】
【００８４】
１  照明器具
２  器具本体
３  光源ユニット
４０  ＬＥＤ（発光部）
４１  基板
４１ａ  前面（一の主面）
９０  カバー
９１  第１端面
９１ａ  第１前端部
９１ｂ  第１後端部
９２  第２端面
９２ａ  第２前端部
９２ｂ  第２後端部
Ｄ３  隙間
Ｌ１  光軸
【図１】
2020035684.tif 000003
【図２】
2020035684.tif 000004
【図３】
2020035684.tif 000005
【図４】
2020035684.tif 000006
【図５】
2020035684.tif 000007
【図６】
2020035684.tif 000008
【図７】
2020035684.tif 000009